(57)【要約】      （修正有）【課題】出汁巻き卵又は厚焼き卵などの太棒状に焼いた調理卵の存在感を高め得ると共に高級感を醸し出し、しかも低コストな調理卵包装用容器を提供する。【解決手段】出汁巻き卵などの太棒状に焼いた調理卵２を包装する包装用容器１であって、上下両面が撥水加工された平らなライナー３ａの上面に、同じく上下両面が撥水加工され且つ波状に成形された波状シート３ｂを貼着して片面段ボール３を形成する。該片面段ボール３を使用して、前記ライナー３ａの下面を内側に巻き込む状態で尚且つ前記波状シート３ｂの波のうねり方向に巻くことによって前記片面段ボール３を筒状に形成し、その筒内に前記調理卵２がくるまれた状態に収容する。【選択図】図１
0003166616.tif 000002
【実用新案登録請求の範囲】
【請求項１】
出汁巻き卵又は厚焼き卵又は伊達巻き卵などの太棒状に焼いた調理卵を包装する包装用容器であって、
上下両面が撥水加工された平らなライナーの上面に、同じく上下両面が撥水加工され且つ波状に成形された波状シートを貼着してなる片面段ボールを使用し、
前記ライナーの下面を内側に巻き込む状態で尚且つ前記波状シートの波のうねり方向に巻くことによって前記片面段ボールを筒状に形成し、その筒内に前記調理卵がくるまれ状態に収容されるようになっていることを特徴とする太棒状の調理卵の包装用容器。
【請求項２】
少なくとも前記ライナーの下面及び波状シートの上面が金色であることを特徴とする請求項１記載の太棒状の調理卵の包装用容器。
【請求項３】
前記波状シートの上面に波のうねり方向に向かって真っ直ぐな凸形帯状のエンボスラインを複数本平行に形成すると共に各エンボスライン同士の間に間隔を設けるようにしたことを特徴とする請求項１又は２に記載の太棒状の調理卵の包装用容器。
【請求項４】
前記片面段ボールの前記波状シートの波形端縁部をひしゃげた形状に変形させたものであることを特徴とする請求項１〜３の何れか１項に記載の太棒状の調理卵の包装用容器。
【考案の詳細な説明】
【技術分野】
【０００１】
本考案は、卵を主原料とする出汁巻き卵又は厚焼き卵又は伊達巻き卵などの太棒状に焼いた調理卵の包装用容器に関する。
【背景技術】
【０００２】
出汁巻き卵又は厚焼き卵又は伊達巻き卵などは、卵を主原料とする一般的な料理であり、調理済みの状態でデパート、スーパー等で販売され得る。
【考案の概要】
【考案が解決しようとする課題】
【０００３】
従来、出汁巻き卵や厚焼き卵などの太棒状の調理卵は、透明な汎用の樹脂パックに入れた状態で売り場に並べられる場合が多く、他の総菜に埋もれて存在感が出しにくい。
一方、日本料理の調理、保存用の道具として、細く切り揃えた竹材を木綿糸でつないで簾状にしたいわゆる「巻き簾（まきすだれ）」があり、かかる巻き簾で太棒状の調理卵を巻いて売り場に並べた場合には、存在感、高級感において他の商品から抜き出るものの、コストが掛かりすぎる問題がある。
【０００４】
本考案は、上記に鑑みなされたもので、その目的は、太棒状調理卵の存在感を高め得ると共に高級感を醸し出すことも可能であり、しかも低コストな包装用容器を提供することにある。
【課題を解決するための手段】
【０００５】
上記の目的を達成するため本考案は、
出汁巻き卵又は厚焼き卵又は伊達巻き卵などの太棒状に焼いた調理卵を包装する包装用容器であって、
上下両面が撥水加工された平らなライナーの上面に、同じく上下両面が撥水加工され且つ波状に成形された波状シートを貼着してなる片面段ボールを使用し、
前記ライナーの下面を内側に巻き込む状態で尚且つ前記波状シートの波のうねり方向に巻くことによって前記片面段ボールを筒状に形成し、その筒内に前記調理卵がくるまれ状態に収容されるようになっている太棒状の調理卵の包装用容器を提供する。なお、本考案において「太棒状」とは、一般的な出汁巻き卵等の形状を表現するためのものであり、特に「太い」とか「丸い」という限定を加える意図を持たない。
【０００６】
また、請求項２に記載したように、少なくとも前記ライナーの下面及び波状シートの上面が金色である請求項１記載の太棒状の調理卵の包装用容器を提供する。
【０００７】
また、請求項３に記載したように、前記波状シートの上面に波のうねり方向に向かって真っ直ぐな凸形帯状のエンボスラインを複数本平行に形成すると共に各エンボスライン同士の間に間隔を設けるようにした請求項１又は２に記載の太棒状の調理卵の包装用容器を提供する。
【０００８】
また、請求項４に記載したように、前記片面段ボールの前記波状シートの波形端縁部をひしゃげた形状に変形させたものである請求項１〜３の何れか１項に記載の太棒状の調理卵の包装用容器を提供する。
【考案の効果】
【０００９】
本考案の包装用容器は、太棒状の調理卵をくるんだ包装状態で片面段ボールの波状シートが周面に露出するため、あたかも調理卵が前記巻き簾で巻かれているかのような状態に見える。したがって従来の包装形態に比べて存在感と高級感が増す。しかも素材が一枚の片面段ボールであるため、コストも掛からず、また、撥水加工されているため包装状態のまま冷凍保存も可能である。
【００１０】
また、請求項２の片面段ボールは、上下面が金色で細く加工した竹材に近いため、波状シートの凹凸が竹材を並べた本物の巻き簾のように見える。よって存在感と高級感がより一層増大する。
【００１１】
また、請求項３のように波状シートの上面に波のうねり方向に向かって真っ直ぐな凸形帯状のエンボスラインを複数本形成すると共に各エンボスライン同士の間に間隔を設けるようにしたことにより、エンボスラインが巻き簾の竹材同士をつなぐ木綿糸のような視覚効果を生む。よって、本物の巻き簾の外観により近似させることができる。
【００１２】
また、請求項４のように片面段ボールの波状シートの波形端縁部をひしゃげた形状に変形させることにより、片面段ボールの波状シートとライナーの間に水分を含む異物が入りにくくなる効果がある。
【図面の簡単な説明】
【００１３】
【図１】包装した状態を示す斜視図である。
【図２】包装した状態を示す正面図である。
【図３】片面段ボールの分解斜視図である。
【図４】展開状態を示す片面段ボールの斜視図である。
【図５】実施形態２を示すもので、展開した片面段ボールの平面図である。
【図６】実施形態２を示すもので、展開した片面段ボールの要部の正面図である。
【図７】実施形態２を示すもので、図６のＡ−Ａ線断面図である。
【図８】実施形態３を示すもので、展開した片面段ボールの斜視図である。
【考案を実施するための形態】
【００１４】
［実施形態１］
以下に本考案の実施形態１を図１〜図４を参照しつつ説明する。
本考案の包装用容器１は、出汁巻き卵、厚焼き卵、伊達巻き卵など、卵を主原料としてそれを太棒状（幅約５〜６ｃｍ、長さ約２０ｃｍ前後の通常の形状）に焼いた調理卵２を包装するためのものであり、いわゆる片面段ボール３を使用する。
【００１５】
この片面段ボール３は、図３の分解斜視図に示したように、上下両面が撥水加工された平らな紙製のライナー３ａの上面に、同じく上下両面が撥水加工され且つ波状に成形された紙製の波状シート３ｂを貼着してなり、例えば２１ｃｍ×２３ｃｍの長方形である。この片面段ボール３は、少なくともライナー３ａの下面３ａｘ及び波状シート３ｂの上面３ｂｙが無地の金色であり、つまり片面段ボール３の上下面が無地の金色である。なお、図３において波状シート３ｂの上面に形成した刻印４は、ラベル（図示せず）の貼着位置を示す目印である。
【００１６】
次に、本考案の包装用容器１による太棒状の調理卵２の包装形態について説明すると、まず、ライナー３ａの下面を内側に巻き込む状態で尚且つ波状シート３ｂの波のうねり方向に巻くことによって片面段ボール３を筒状に形成し、その筒内に調理卵２がくるまれるようにして収容する。実際の手順としては、裏返しにした片面段ボール３のライナー３ａ上に調理卵２を寝かせて筒状に丸め、その状態で粘着シール、輪ゴム、筒状のラベル、紐などで筒状に丸めたまま固定する。
【００１７】
この調理卵２をくるんだ包装状態で片面段ボール３の波状シート３ｂの凸凹が図１に示したように周面に露出するため、あたかも太棒状調理卵２が巻き簾で巻かれているかのような状態に見える。したがって従来の包装形態に比べて存在感と高級感が演出でき、また、周面の凸凹が滑り止めになるため握りやすい。しかも素材が撥水加工した一枚の片面段ボール３であるため、そのまま冷凍保存することもできる。
【００１８】
［実施形態２］
図５〜図７は本考案の実施形態２を示すものである。実施形態２の包装用容器１は、実施形態１の片面段ボール３に対し、図５の平面図に示したように波状シート３ｂの上面に波のうねり方向に向かって真っ直ぐな凸形帯状のエンボスライン５を複数本形成してなる。このエンボスライン５は、図６、図７に示したように波状シート３ｂの厚みに対してごく僅かに浮き出る程度であり、片面段ボール３を製造する過程で使用する送りローラの縁を使って形成可能である。したがって、エンボス加工用の新たな設備を必要としない。また、僅かに盛り上がるエンボスライン５は、光の加減により波の頂部で殆ど目立たず、谷部にだけ存在するかのように見えるから、巻き簾の木綿糸のごとき演出効果が得られる。なお、その状態を図５の平面図の下半分のエンボスライン５で表現した。
【００１９】
［実施形態３］
図８は実施形態３を示すもので、展開した片面段ボール３の斜視図である。この実施形態３の片面段ボール３は、波状シート３ｂの波形端縁部６を若干潰してひしゃげた形状に変形させたものであり、こうすることにより片面段ボール３の波状シート３ｂとライナー３ａの間に水分を含む異物が入りにくくなる。片面段ボール３の波形端縁部６のひしゃげ具合は波の高さの半分程度でよく、この程度の変形は段ボールを切断する刃の切れ味を抑制することで容易に実現できる。もちろん片面段ボール３を切断した後、別工程で波形端縁部６を軽く押圧するようにしてもよい。
【００２０】
以上、本考案を実施の形態について説明したが、もちろん本考案は上記実施形態に限定されるものではない。例えば、実施形態では片面段ボール３を金色にしたが、それ以外にもクリーム色、山吹色など黄色系統の色にして調理卵と同系統の色にしてもよい。
【符号の説明】
【００２１】
１  …包装用容器
２  …調理卵
３  …片面段ボール
３ａ…ライナー
３ｂ…波状シート
５  …エンボスライン
６  …波形端縁部
【図１】
0003166616.tif 000003
【図２】
0003166616.tif 000004
【図３】
0003166616.tif 000005
【図４】
0003166616.tif 000006
【図５】
0003166616.tif 000007
【図６】
0003166616.tif 000008
【図７】
0003166616.tif 000009
【図８】
0003166616.tif 000010